(57)【要約】      （修正有）【課題】ボックス本体又は枠体本体に対する挟持片の出し入れ（挿脱）に係る操作性を向上させ、配線用ボックス又は配線用枠体の取外し作業を容易にすることである。【解決手段】ボックス本体１０の左右対向側壁部の開口部１４に臨む部分に外側に向けて設けられた挟持鍔部１５と、該挟持鍔部１５と協働して壁板１のボックス挿入開口１ａに臨む部分を表裏両面から挟持するために、挿脱自在に設けられた挟持片２１とを備え、前記挟持片２１は、ボックス本体１０の側面に開口したガイド孔２５に挿入されビス２３の回転により、進退可能であって、しかも後退端近辺においてビスに対して連れ廻ってボックス本体１０に対して出し入れ可能な構成の配線用ボックスＢ1 であって、前記ビス２３における少なくともボックス本体１０に対して挟持片２１を出し入れ可能な部分のねじ山は潰されて、ビス２３に対する挟持片２１の連れ廻り力が大きくなるように構成する。【選択図】      図６
2006060888.tif 000002
【特許請求の範囲】
【請求項１】
ボックス本体の側壁部の開口に近い部分に外側に向けて設けられた挟持鍔部と、該挟持鍔部と協働して壁板のボックス挿入開口の周縁部を表裏両面から挟持してボックス本体を前記壁板に取付けるために、ボックス本体に対して出し入れ自在に設けられた挟持片とを備え、
前記挟持片は、ボックス本体の側面に開口したガイド孔に挿入されたビスの回転により、前記ガイド孔にガイドされてボックス本体の奥行方向に沿って進退可能であって、しかも後退端近辺においてビスに対して連れ廻ってボックス本体に対して出し入れ可能な構成の配線用ボックスであって、
前記ビスにおける少なくともボックス本体に対して挟持片を出し入れ可能な部分のねじ山は潰されて、ビスに対する挟持片の連廻り力が大きくなっていることを特徴とする配線用ボックス。
【請求項２】
前記ビスのねじ山が潰されている部分は、ボックス本体に対して挟持片が出し入れ可能な部分のみであることを特徴とする請求項１に記載の配線用ボックス。
【請求項３】
前記ガイド孔を形成するガイド壁部の奥側の端面を形成していて、ボックス本体に対する挟持片の出し入れ時に該挟持片が摺接する挟持片摺接面は、ボックス本体の底壁部との間隔が側壁部に向けて広くなるように傾斜していることを特徴とする請求項１又は２に記載の配線用ボックス。
【請求項４】
枠体本体に外側に向けて設けられた挟持鍔部と、該挟持鍔部と協働して壁板の枠体挿入開口の周縁部を表裏両面から挟持して枠体本体を前記壁板に取付けるために、枠体本体に対して回動自在に設けられた挟持片とを備え、
前記挟持片は、枠体本体の背面から奥側に向けて突設されたガイド部に挿入されたビスの回転により、前記ガイド部にガイドされて枠体本体の奥行方向に沿って進退可能であって、しかも後退端近辺においてビスに対して連れ廻ることにより回動可能となった構成の配線用枠体であって、
前記ビスにおける少なくともガイド部に対して挟持片が回動可能な部分のねじ山は潰されて、ビスに対する挟持片の連廻り力が大きくなっていることを特徴とする配線用枠体。
【請求項５】
前記ビスのねじ山が潰されている部分は、ガイド部に対して挟持片が回動可能な部分のみであることを特徴とする請求項４に記載の配線用枠体。
【発明の詳細な説明】
【技術分野】
【０００１】
本発明は、ボックス本体、或いは枠体本体に配線材を接続する等して、壁板の裏側の配線を挿通させ、該配線を内部に引き込んで電気配線を行う配線用ボックス、及び配線用枠体に関し、特に壁板を立設した後に、室内に臨む壁板の表側から、該壁板に形成されたボックス又は枠体の挿入開口に挿入して取付けて使用される配線用ボックス、及び配線用枠体に関する。
【背景技術】
【０００２】
上記した配線用ボックス（以下、単に「ボックス」という）として、従来より、ボックス本体の開口に周縁部に外側に向けて設けられた挟持鍔部と、ボックス本体の対角線方向に沿った各コーナー部に配置される一対の挟持片とを備えたものがあって、前記一対の挟持鍔部と挟持片とで協働して壁板を表裏両面から挟持することにより取付けられる。前記挟持片は、ボックス本体の前記コーナー部に支持されたビスに螺合されており、これを回転させると、ビスの軸方向に沿って前進及び後退移動されると共に、後退端近辺においては、ビスの回転に対する連廻り力によって一体に回動され、ボックス本体の外側に突出させるか、又は内側に収容可能に設けられている。即ち、予め挟持片をボックス本体の内部に収容し、壁板のボックス挿入開口よりもボックスの外形が僅かに小さい状態でこれを壁表側から挿入し、その後に壁板の裏側にて挟持片をボックス本体の外側に突出させ、ビスを回転して、該挟持片が壁板の裏面に当接するまで挟持片を壁表方向に前進移動させ、挟持鍔部と挟持片とで壁板のボックス挿入開口の周縁の表裏両面を挟持してボックスを取付ける。ここで「前進」とは、取付状態において壁板の表側であって、ボックス本体の開口部の側に移動することを指し、「後退」とは、「前進」とは逆方向のボックス本体の底壁部の側に移動することを指す。
【０００３】
そして、上記のようにして壁板にボックスを取付けた後に、引込み済みの配線が誤りであった等の作業者側の配線ミスや、施主側からの新たな配線の追加要望等により、配線ミス等を修正又は変更すべく、壁板から一旦ボックスを取外し、目的の配線をボック本体内に引き込む電気配線作業を余儀なくされる場合がある。ここで、壁板に取付られた状態のボックスの外形は、前記ボックス挿入開口よりも、挟持片の当接面に相当する分だけ大きくなっており、ボックスを取外すためには、該挟持片を再びボックス本体の内部に収容する必要がある。そして、従来のボックスにおいて、挟持片の収容時とは逆方向に前記ビスを回転させて、該挟持片を取付時とは逆方向に後退移動させ、壁板に対する挟持鍔部との挟持状態を解放した後に、後退端近辺にてビスの連廻り力を作用させて、再び挟持片をボックス本体の内部に収容しようとすると、ビスの回転に対する挟持片の連廻り力が不足しがちであるという問題があった。このため、ボックス本体の外側に突出している挟持片は、ビスの回転によりボックス本体内に容易には廻して収容できないことがあった。このように、挟持片を突出又は収容させてボックス本体に対して出し入れさせる際の前記連廻り力不足に起因して、壁板からボックスを取り外す際には、その作業性が極めて悪くなるという問題があった。
【特許文献１】特開２００１−２０４１２２号公報
【発明の開示】
【発明が解決しようとする課題】
【０００４】
本発明は、ボックス本体又は枠体本体に対する挟持片の出し入れに係る操作性を向上させ、配線用ボックス又は配線用枠体の取外し作業を容易にすることを課題としている。
【課題を解決するための手段】
【０００５】
上記の課題を解決するための請求項１の発明は、ボックス本体の側壁部の開口に近い部分に外側に向けて設けられた挟持鍔部と、該挟持鍔部と協働して壁板のボックス挿入開口の周縁部を表裏両面から挟持してボックス本体を前記壁板に取付けるために、ボックス本体に対して出し入れ自在に設けられた挟持片とを備え、前記挟持片は、ボックス本体の側面に開口したガイド孔に挿入されたビスの回転により、前記ガイド孔にガイドされてボックス本体の奥行方向に沿って進退可能であって、しかも後退端近辺においてビスに対して連れ廻ってボックス本体に対して出し入れ可能な構成の配線用ボックスであって、前記ビスにおける少なくともボックス本体に対して挟持片が出し入れ可能な部分のねじ山は潰されて、ビスに対する挟持片の連廻り力が大きくなっていることを特徴としたものである。
【０００６】
壁板のボックス挿入開口にボックス本体を挿入すると、ボックス本体の側壁部に形成された挟持鍔部が、壁板表側におけるボックス挿入開口に周縁部に当接する。この状態で、ボックス本体に対して進退不能に支持されたビスを回転させると、ボックス本体内に収容されていた挟持片は、ビスの連廻り力によって一体に回動されてボックス本体の外側に突出する。更に、ビスを同方向に回転させると、ボックス本体の外側に突出した挟持片は、ビスと一体に連れ廻ろうとするが、内部がガイド孔となったガイド壁に当接することにより連廻り不能であるため、ボックス本体に対して支持されたビスの回転により、挟持片は壁表側に前進移動して壁板の裏面に当接する。これにより、壁板におけるボックス挿入開口の周縁部の表裏両面は、挟持鍔部と挟持片とで挟持されて、壁板のボックス挿入開口にボックス本体が挿入されて、ボックス挿入開口と壁板の表面とがほぼ同一面となった状態で、壁板にボックス本体が取付けられる。そして、上記のようにして壁板にボックス本体を取付けた後に、配線ミス等に気付いた場合には、壁板からボックス本体を取り外して、本来の配線をボックス本体内に引き込んで電気配線する必要が生じる。
【０００７】
配線用ボックスの取付後の配線変更等に対応すべく、これを一旦壁板から取り外すためには、ボックス本体に対して支持されたビスをボックス本体の取付時と逆方向に回転させ、壁板の裏面に当接している挟持片を奥側に後退移動させ、挟持片がボックス本体の底壁部に近い後退端近辺のボックス本体に対して出し入れ可能な部分に到達させて、ここで、挟持片をボックス本体内に収容させる必要が生じる。請求項１の発明によれば、この時に、ビスのねじ山が潰された部分に対して挟持片が螺合されるに至って、ビスの回転に対する挟持片の連廻り力が大きくなり、該挟持片は、前記出入可能な部分において、確実にボックス本体内に収容される。
【０００８】
特に、ボックスが方形状であって、ボックスの取外し時において、ボックス本体の対角線方向に配置された一対の挟持片のうち下方に配置された挟持片に関しては、自身の重量がビスの連廻り力を減殺するように作用するため、従来のボックスにおいては、下方に配置された挟持片をボックス本体内に収容させるのは、特に難しかった。しかし、請求項１の発明によれば、挟持片の重量を遥かに上回る大きさの連廻り力が得られるので、下方に配置された挟持片に関しても、確実にボックス本体内に収容させられる。なお、一対の挟持片のうち上方の挟持片は、その重量が連廻り力として作用するために、下方の挟持片に比較すればボックス本体内に収容させることは容易である。
【０００９】
請求項２の発明は、請求項１の発明において、前記ビスのねじ山が潰されている部分は、ボックス本体に対して挟持片が出し入れ可能な部分のみであることを特徴としたものである。
【００１０】
請求項２の発明によれば、請求項１の発明の作用効果に加えて、更にボックス本体に対して挟持片を収容させるために、ビスに対する連廻り力が必要な部分においてのみ、ビスのねじ山は潰されていて、他の部分は通常のままである（ねじ山は潰されていない）ので、挟持片の後退端と壁板の裏面との間において、ビスの回転により挟持片を容易に進退させられる。
【００１１】
請求項３の発明は、請求項１又は２の発明において、前記ガイド孔を形成するガイド壁部の奥側の端面を形成していて、ボックス本体に対する挟持片の出し入れ時に該挟持片が摺接する挟持片摺接面は、ボックス本体の底壁部との間隔が側壁部に向けて広くなるように傾斜していることを特徴としたものである。
【００１２】
請求項３の発明によれば、請求項１又は２の発明の作用効果に加えて、挟持片が後退端においてボックス本体内に収容された状態で、ビスの回転による連れ廻りにより挟持片をボックス本体の外側に脱出させる際に、挟持片は前記挟持片摺接面の全面には摺接しなくて、挟持片摺接面の一部のみに摺接する。このため、挟持片が挟持片摺接面の全面に摺接する場合には、挟持片の摺接抵抗が大きいために、ビスの連廻り力のみでは挟持片を回動させてボックス本体の外側に容易に脱出させられない。しかし、請求項３の発明によれば、前記挟持片摺接面は、ボックス本体の底壁部との間隔が側壁部に向けて広くなるように傾斜しているために、挟持片摺接面に対して挟持片は部分摺接するのみで、全面摺接しないので、ビスの連廻り力によって、挟持片はボックス本体の外側に容易に脱出される。
【００１３】
請求項４の発明は、枠体本体の外側に向けて設けられた挟持鍔部と、該挟持鍔部と協働して壁板の枠体挿入開口の周縁部を表裏両面から挟持して枠体本体を前記壁板に取付けるために、枠体本体に対して回動自在に設けられた挟持片とを備え、前記挟持片は、枠体本体の背面から奥側に向けて突設されたガイド部に挿入されビスの回転により、前記ガイド部にガイドされて枠体本体の奥行方向に沿って進退可能であって、しかも後退端近辺においてビスに対して連れ廻ることにより回動可能となった構成の配線用枠体であって、前記ビスにおける少なくともガイド部に対して挟持片が回動可能な部分のねじ山は潰されて、ビスに対する挟持片の連廻り力が大きくなっていることを特徴としたものである。
【００１４】
請求項１の発明は配線用ボックスを対象にしているのに対して、請求項４の発明は配線用枠体を対象にしている点が異なるのみで、ビスの回転により挟持片を進退させて、挟持鍔部と挟持片とで壁板の枠体挿入開口の周縁部を表裏両面から挟持して枠体本体を壁板に取付ける構成は同一であって、ビスにおける少なくともガイド部に対して挟持片が回動可能な部分のねじ山は潰されて、ビスに対する挟持片の連廻り力が大きくなることにより奏される作用効果は、請求項１の作用効果と実質的に同一である。
【００１５】
請求項５の発明は、前記ビスのねじ山が潰されている部分は、ガイド部に対して挟持片が回動可能な部分のみであることを特徴としており、その作用効果は、請求項２の作用効果と同一である。
【発明の効果】
【００１６】
本発明によれば、ビスのねじ山が潰された部分に対して挟持片が螺合されるに至って、ビスの回転に対する挟持片の連廻り力が大きくなることによって、ボックス本体又は枠体本体内への挟持片の出し入れ可能な部分で、該挟持片を脱出又は収容する操作性を向上させ、配線用ボックス又は配線用枠体の配設作業を容易にできる。
【発明を実施するための最良の形態】
【００１７】
以下、本発明の最良の実施形態を複数挙げて、本発明を更に詳細に説明する。
【実施例１】
【００１８】
以下、実施例を挙げて本発明を更に詳細に説明する。図１は、本発明に係る配線用のボックスＢ1 の斜視図であり、図２は、同じく正面図であり、図３は、図１のＸ1 −Ｘ1 線拡大断面図であり、図４は、同じく、Ｘ2 −Ｘ2 線拡大断面図である。最初に図１ないし図４を参照して、本発明に係るボックスＢ1 について、そのボックス本体１０の構成を中心に説明する。ボックスＢ1 は、垂直に立設された壁板１のボックス挿入開口１ａに挿入して取付け、使用されるものであって、ボックスＢ1 の取付状態における左右方向Ｕ、上下方向Ｖ、奥行方向Ｗの各方向を、ボックスＢ1 の構成を説明する場合にも使用する。
【００１９】
ボックスＢ1 は、配線用ボックスとして本来の機能を果たすべく、前面に開口部１４が形成された直方体形状の箱体であって、略長方形の底壁部１１と、該底壁部１１の端縁から垂直に立設され、上下方向Ｖ及び左右方向Ｕに沿って対向配置される一対の上下及び左右の各対向側壁部１２，１３と、前記底壁部１１に形成され、配線Ｌを挿通する予定のノックアウト部１６とを備えたボックス本体１０に、該ボックス本体１０の左右対向側壁部１３の開口端面に、一体にフランジ状に形成された一対の挟持鍔部１５と、該ボックス本体１０の対角線方向の一対の角部において、それぞれ挟持片２１を奥行方向Ｗに沿って移動可能に、しかもボックス本体１０に対して出入可能に配置する一対のコーナー部２０とが形成された構造である。ほぼ円形の前記ノックアウト部１６は、ボックスＢ1 に配線・配管材を接続させる場合に、ノックアウト部１６の周縁の隙間に工具の先端部を挿入して、２箇所の薄肉の連結部１６ａを破断させて、前記ノックアウト部１６を捩り除去してノックアウト孔Ｈを形成する部分であって、ノックアウト孔Ｈが必要ない場合には、そのままの閉塞状態が維持される。また、一対の挟持鍔部１５は、細長い長方形でやや薄肉の鍔板が、長手方向の中央部においてほぼ正方形に切り欠かれ、この結果２枚の長方形の鍔板が、幅狭の連結部１５ａを介して連結された外形状であって、それぞれ左右対向側壁部１３の端面において、同方向に沿った外側に向けて突設されている。該一対の挟持鍔部１５は、既設の壁板１のボックス挿入開口１ａに、壁板１の表側（室内側）からボックス本体１０を挿入して取付ける際に、自身の裏面を、壁板１のボックス挿入開口１ａの表側の周縁部に当接させながら、この状態で、後述するように前記一対の挟持片２１を前進移動させて、該一対の挟持片２１と共働して壁板１を表側及び裏側から互いに挟持することにより、壁板１にボックスＢ1 を配設するための鍔部である（図６参照）。
【００２０】
また、前記各コーナー部２０は、図示において上方の前記対向側壁部１２と左側の前記対向側壁部１３とよりなる左上の角部と、該左上の角部と対角方向に対向する右下の角部とで一対をなして、それぞれボックス本体１０の奥行方向Ｗに沿って形成されている。図示されるとおり、各コーナー部２０は、上下対向側壁部１２と左右対向側壁部１３とで形成される角部を中心にして、横断面視が略４分円の周壁を描くように、各対向側壁部１２，１３から立設されたガイド壁部２２と、該ガイド壁部２２の内側においてボックス本体１０の側面に開口し、ガイド壁部２２の内部の空間部にビス２３が挿通されて、該ビス２３に螺合された挟持片２１の被ガイド部２１ｂのガイドを行うガイド孔２５と、横断面視において前記ガイド孔２５のほぼ中央部に、奥行方向Ｗに沿って配置されたビス２３と、該ビス２３に螺合され、これを回転することにより、前記ガイド孔２５から突出した状態で、奥行方向Ｗに沿って前進及び後退移動可能な挟持片２１と、該挟持片２１の後退端付近にてボックス本体１０に対して挟持片２１が出入可能なように、底壁部１１近傍の前記ガイド壁部２２及び前記対向側壁部１３の一部分を欠落させて開口された挟持片出し入れ開口部２４とをそれぞれ備えている。
【００２１】
そして、図３及び図４に示されるように、挟持片２１は、全体的に丸みを帯びた板状片で構成されて、壁板１の前記ボックス挿入開口１ａ周縁の裏面への当接部位である挟持本体部２１ａと、自身の基端部にビス２３と螺合すべき雌ねじ２１ｃが形成されて、前記ガイド孔２５に挿入される被ガイド部２１ｂとが、自身の板厚方向に沿ってほぼ板厚分だけ段違いとなるように屈曲された形状である。前記被ガイド部２１ｂの幅２１ｗは、その端縁が、ガイド孔２５の開口部を形成するガイド壁部２２の内壁面に当接して、所定角度以上の回動が制止される程度に、前記ガイド孔２５の開口幅２５ｗに対応して、該開口幅２５ｗよりやや小さめに形成されており、被ガイド部２１ｂをガイド孔２５内に配置させ、挟持本体部２１ａをボックス本体１０の外側に突出させた状態で、該挟持片２１の全体を奥行方向Ｗに沿って前進又は後退移動可能となっている（図３参照）。なお、各図面において、２１ｄは、挟持本体部２１ａの手前側（表面側）に形成された半球状の小突部であって、ビス２３の締め付け力に応じてボックスＢ1 の壁板１への取付け状態を安定させる部位である。また、挟持本体部２１ａと被ガイド部２１ｂとは、上記したように屈曲されているため、ビス２３の締付時における曲げ強度が高くなっている。
【００２２】
また、前記挟持片出し入れ開口部２４は、底壁部１１近傍のガイド壁部２２の一部分を、ボックス本体１０の側面からほぼ長方形に切り欠いた被ガイド部出し入れ用開口部２４ｂと、底壁部１１近傍の左右対向側壁部１３の一部分を、該被ガイド部出し入れ用開口部２４ｂを介して前記ガイド孔２５と連通するように、前記被ガイド部出し入れ用開口部２４ｂよりも大きな長方形に開口させた本体部出し入れ用開口部２４ａとよりなり、上記した挟持片２１の形状に対応して形成されている。即ち、ビス２３に螺合された雌ねじ２１ｃの部分を支点に回動される挟持片２１の挟持本体部２１ａと被ガイド部２１ｂとが、それぞれ前記各開口部２４ａ，２４ｂを通過して、各開口部２４ａ，２４ｂにおいてのみ、ボックス本体１０の内部に対して出し入れされるように形成されている。これにより、被ガイド部出し入れ用開口部２４ｂの開口幅２４ｗは、被ガイド部２１ｂの板厚２１ｔよりやや大きく（図８参照）、また、被ガイド部出し入れ用開口部２４ｂの深さ２４ｄは、挟持片２１の全体が、突出した状態からボックス本体１０内に向けてほぼ９０°回動して、その内部に収容された際の被ガイド部２１ｂの最も奥側の端縁の位置に対応した長さだけ開口されている（図４参照）。なお、以下の説明において挟持片２１の「収容状態」とは、上述したとおり、挟持片２１がボックス本体１０内に配置された状態をいう。
【００２３】
また、ボックス本体１０のコーナー部２０において、奥行方向Ｗに沿って水平に支持される前記ビス２３は、ビス頭部の外形状に対応してボックス本体１０の開口部１４の側のガイド壁部２２の端面に形成された座ぐり状の貫通孔２２ａから、ビス２３の軸部の外径に対応して底壁部１１に形成された支持貫通孔１１ａに向けて、手前側から奥側に挿通され、ビスの頭部と先端部が架け渡された状態で支持されている。即ち、ビス２３は、自身の頭部の端面が前記貫通孔２２ａが形成されたガイド壁部２２の端面とほぼ同一面となって、該頭部が前記貫通孔２２ａに当接された配置を基準位置として、必要に応じて手前側に抜け出し可能ではあるが、前記基準位置より奥側には移動不能に支持されている。これにより、挟持片２１とのみ螺合して、ボックス本体１０の他の何れの部位とも螺合しないビス２３は、回転によりコーナー部２０に支持された状態で空回りし、ボックス本体１０に対して、螺合による進退が不能に支持されている。そして、上記した基準位置に支持された状態で、ビス２３の雄ねじ２３ａにおける前記挟持片出し入れ開口部２４の被ガイド部出し入れ用開口部２４ｂに対応する部分（挟持片連廻り部分）のみに、所定の方法でこのねじ山を押し潰した押し潰し部２３ｂが形成されており、この結果、該当部分のねじ山は、雄ねじ２３ａにおける前記挟持片連廻り部分以外の部分よりも幅広をなすように、前記挟持片連廻り部分のみ変形されており、後述するように、挟持片連廻り部分においては、挟持片２１の連廻り力を大きくして一体に連れ廻り易くしてある（図６参照）と共に、挟持片連廻り部分以外の部分においては、挟持片２１は、ガイド壁部２２に被ガイド部２１ｂが案内されてビス２３の軸方向に小さな力で進退し得るようになっている。
【００２４】
なお、ボックスＢ1 は、立設後の壁板１のボックス挿入開口１ａに挿入して取付けられ、壁板１の裏側に配線された電線（配線）の端部を前記ノックアウト孔Ｈを介してボックス本体１０内に引き込み、所定の配線器具と接続した後に、当該引込み部を前記本体１０内に収容して、該ボックス本体１０の開口部１４に適宜カバー類等を覆蓋して使用される。また、実施例１のボックスＢ1 は、１個の配線器具（コンセント）と接続される「１個用」であるために、一対の上下対向側壁部１２における開口部１４に近い部分の内側に、前記カバー類等を取付けるための一対のボス部１７が対向して形成されている。各図面においてＤは、ビス２３を回転させるプラスドライバーを示している。ボックスＢ1 には、上記した主要な構成部分以外にも、各種の取付部やノックアウト部が形成されているが、本明細書では、これらの説明及び図示を適宜省略した。
【００２５】
次に、上記したボックスＢ1 を使用して壁板１に取付けた後に、配線ミス等に気付き、本来の配線をボック本体内に引き込んで行う再配線作業について、図５ないし図９を使用して説明する。図５は、壁板１に取付けられたボックスＢ1 を取り外す途中の状態を示す斜視図であって、図６は、壁板１にボックスＢ1 が取付けられた状態における図２のＹ−Ｙ線断面図であり、図７は、壁板１に取付けられたボックスＢ1 を取り外す途中の状態における図２のＹ−Ｙ線断面図である。また図８は、図７の部分拡大図であって、ビス２３の連廻り力により挟持片２１が挟持片出し入れ開口部２４を通ってボックス本体１０内に収容された状態を示す図であり、図９は、押し潰し部２３ｂが形成された雄ねじ２３ａと、挟持片２１の雌ねじ２１ｃとが螺合した状態を示す斜視図である。
【００２６】
壁板１にボックスＢ1 を取付けた後に、配線ミス等に気付いた場合には、最初の配線時と同様に、本来の配線をボックス本体１０内に引き込んで電気配線すべく、壁板１からボックス本体１０を一旦取り外す必要がある。このためには、挟持片２１を前進端部から後退移動させ、壁板１に対する挟持片２１の挟持状態を解放し、更に、コーナー部２０の後退端付近に形成された前記挟持片出し入れ開口部２４に挟持片２１が配置されるまで後退移動させて、ここで再び挟持片２１をボックス本体１０内に収容し、ボックス本体１０の外側に突出する部分を無くさなければ、ボックス本体１０を壁板１のボックス挿入開口１ａを通して壁板１の手前側に引き出すことができない。挟持片２１は、ビス２３の回転のみによって、該ビス２３の長手方向に沿った配置位置を操作可能な構成であるので、まず、ビス２３をボックス本体１０の取付時と逆方向に回転させて、壁板１の裏面１ｂに当接する挟持片２１を後退移動させる。この時の挟持片２１とビス２３との螺合状態は、ビス２３の雄ねじ２３ａが、挟持片２１の被ガイド部２１ｂの雌ねじ２１ｃに対して、通常どおりに螺合された状態であって、即ち、前記雄ねじ２３ａの「山」と雌ねじ２１ｃの「山」とが、互いに僅かな寸隙Ｇ0を介して比較的緩やかに嵌め合った状態で螺合され（図８参照）、この結果、通常の螺合状態でのビス２３の回転操作が容易となっている。従って、前記前進端位置から、前記挟持片出し入れ開口部２４に到達する直前の螺合位置までを、挟持片が後退移動する間には、その作業性は損われる事なく良好に維持される。
【００２７】
そして、図７及び図９に示されるように、挟持片２１がボックス本体１０の底壁部１１に近い前記挟持片出し入れ開口部２４に、即ち、挟持片２１の被ガイド部２１ｂが被ガイド部出し入れ用開口部２４ｂに達すると、ビス２３の雄ねじ２３ａにおける前記被ガイド部出し入れ用開口部２４ｂに対応する部分は、押し潰し部２３ｂが形成されており、ねじの「山」の頂部が潰れて両側の「谷」に侵入して幅広に変形され、前記寸隙Ｇ0は、消滅するかのように極めて小さくなっている（図８参照）。この結果、雄ねじ２３ａと雌ねじ２１ｃとの接触面積は、通常螺合時の緩嵌状態よりもかなり大きくなっており、ビス２３の回転に連られて雌ねじ２１ｃが廻り易くなっている。よって、挟持片２１は、その後退端近辺に到達した状態では、ビス２３による大きな連廻り力によって、確実にボックス本体１０内に収容させることができる。特に、一対の挟持片２１のうち、右下のコーナー部２０に配置された挟持片２１は、自身の重量に比例して連廻り力を減殺するように作用する下方向きの力に抗して、上方に向けてほぼ９０°回動させねばならないが、該減殺力を遥かに上回る大きさの連廻り力が得られるので、挟持片２１の収容操作を容易に行える。なお、左上のコーナー部２０に配置される挟持片２１は、自身の重量が連廻り力として作用するために、下方の挟持片２１に比較すればボックス本体１０内に収容させることは比較的容易である。
【００２８】
このようにして、一対の各挟持片２１をボックス本体１０内に収容した後に、ボックスＢ1 の全体を壁板１の表側に向けて取り出す。そして、室内側で新たにノックアウト孔Ｈを形成する作業を行い、ボックス挿入開口１ａを介して壁板１の裏側から新たな配線Ｌを前記新たにノックアウト孔Ｈに挿通させ、先の配線時と同様に、該配線Ｌをボックス本体１０の開口部１４から手前側に引き出した後に、再度、壁板１の前記ボックス挿入開口１ａに、壁板１の表側からボックスＢ1 を嵌め込むように挿入する。図１０は、ボックス本体１０の底壁部１１の他のノックアウト孔Ｈに配線を挿通することにより、配線ミスを是正して、ボックスＢ1 を壁板１に再度取付けた状態の斜視図であって、上記の様子を示している。なお、室内側に引込まれた各配線Ｌの端部には、所定の配線器具等が接続され、各配線Ｌの引き出し部をボックス本体１０内に収容しながら、配線器具等の前面に更に化粧プレート等を取付け、室内で利用可能とされる。
【００２９】
上述したように、ビスの雄ねじに押し潰し部が形成されたことによる作用効果としては、壁板に取付済みのボックスを取外す場合を例示して、挟持片を挿入する方向に回動させる際の連れ廻りについて説明したが、逆方向、即ち後退端付近にてボックス本体内に収容された挟持片を突出させるように回動させる連れ廻りについても同様に作用する。ここで、図１１は、図１のＺ−Ｚ線断面図であって、ガイド孔２５を形成しているガイド壁部２２の奥側の端面は、ボックス本体１０に対する挟持片２１の出し入れ時において、前記挟持片２１（正確には、被ガイド部２１ｂ）の手前側の面が摺接する挟持片摺接面２２ｂとなっている。そして、図１１に示されるように、前記挟持片摺接面２２ｂは、ボックス本体１０の底壁部１１との間隔が側壁部１３の側に向けて広くなるように傾斜している。よって、挟持片２１が後退端においてボックス本体１０内に収容された状態で、ビス２３の回転による連れ廻りにより挟持片２１をボックス本体１０の外側に脱出させる際に、挟持片２１は前記挟持片摺接面２２ｂの全面には摺接しなくて、その一部のみに摺接する。このため、挟持片２１が挟持片摺接面２２ｂの全面に摺接する場合には、その摺接抵抗が大きいために、ビス２３の連廻り力のみでは挟持片２１を回動させてボックス本体１０の外側に容易に脱出（突出）させられないことがあるが、挟持片摺接面２２ｂが上記のように傾斜していることにより、挟持片摺接面２２ｂに対する挟持片２１の摺接抵抗が小さくなるのに加えて、挟持片２１が傾斜している挟持片摺接面２２ｂをボックス本体１０の外側に向けて滑るようにして回動するため、ビス２３の回転による連廻り力のみによって、ボックス本体１０の内部から挟持片２１を確実に脱出させられる。但し、ボックス本体１０内に挿入する方向に挟持片２１を回動させる場合と比較すると、脱出するように回動させる場合には、必ずしもビス２３の連廻り力を使用する必要はなく、ボックス本体１０の開口部から手を挿入して指先で挟持片２１を回動させることも可能である。
【００３０】
なお、上記したボックスＢ1 は、配線器具（コンセント）を１個のみ取付可能な「１個用」のボックスであるが、図１２に示されるボックスＢ2 のように、配線器具を２個取付けできる「２個用」のボックスＢ2 、更には２個以上の複数個取付けできるボックスに対しても本発明は実施可能である。「２個用」のボックスＢ2 に関しては、挟持鍔部１５は、「１個用」の前記ボックスＢ1 と同様に一対の左右対向側壁部１３にのみ形成されているが、挟持片２１は、ボックス本体１０の各コーナー部にそれぞれ設けられていて、壁板に対する挟持力を大きくしている。
【実施例２】
【００３１】
図１３は、天井板３１に煙感知器等の種々の感知器を取付ける際に使用される円形の感知器取付用ボックス（以下、単に「ボックス」という）Ｂ3 の取付状態の一部を破断した斜視図である。ボックスＢ3 は、天井板３１に形成された円形孔３２に挿入される円形のボックス本体３３と、該ボックス本体３３の開口側の周縁に外側に向けて一体に形成されたリング状の挟持鍔３４と、前記ボックス本体３３における位相が１８０°異なる部分に、ビス３５の回転により取付状態で上下方向に移動可能に取付けられた一対の挟持片３６とを備えている。ビス３５の回転により挟持片３６が取付状態で上下方向に移動する構成は、前記ボックスＢ1 の構成と実質的に同一である。即ち、ボックス本体３３の内周面の対向部には、一対のガイド壁部３７が内側に突出して形成されることにより、前記ガイド壁部３７の内側には、ボックス本体３３の外周面に開口したガイド孔３８が形成され、ボックス本体３３の筒状の側壁部（周壁部）３３ａ及び前記ガイド壁部３７におけるボックス本体３３の底壁部３３ｂに近接した部分は、ボックス本体３３に対して挟持片２１が出し入れ可能なように挟持片出し入れ開口部３９が形成されている。
【００３２】
このため、ボックス本体３３を天井板３１の円形孔３２に挿入する際には、挟持片３６を後退端（取付状態で上昇端）に移動させて、挟持片出し入れ開口部３９を通して挟持片３６をボックス本体３３内に収容して、ボックス本体３３の外周に突出部がない状態にして、挟持鍔部３４が天井板３１の下面に当接するまでボックス本体３３を円形孔３２に挿入する。その後に、ビス３５の回転による連廻り力により、後退端位置においてボックス本体３３内に収容されている挟持片３６をボックス本体３３の外側に脱出（突出）させて、引き続いてビス３５を回転させると、ガイド壁部３７により挟持片３６の回動が防止されるために、挟持片３６は天井板３１の裏面に当接するまで移動して、一対の挟持片３６と挟持鍔部３４とによって、天井板３１の表裏両面が挟持されることにより、天井板３１にボックスＢ3 が取付けられる。
【００３３】
上記構成のボックスＢ3 においても、ビス３５における挟持片３６の後退端位置（取付状態で上昇端位置）に対応する部分のねじ山を潰しておくと、ビス３５の回転による挟持片３６の連廻り力が大きくなる。よって、何らかの原因で天井板３１からボックスＢ3 を取り外したり、或いは天井板３１にボックスＢ3 を取付ける際において、後退端位置においてボックス本体３３に対して挟持片３６を収容（挿入）したり、脱出（突出）させたりする操作が容易となる。また、前記ボックスＢ1 と同様に、ガイド壁部３７における奥側の端面であって、ボックス本体３３に対して挟持片３６を脱出（突出）させる際に摺接する挟持片摺接面（図示せず）とボックス本体３３の底壁部３３ｂとの間隔を側壁部（周壁部）３３ａの側に向けて広くなるように傾斜させると、挟持片３６の前記脱出（突出）が容易となる。なお、図１３において、４０は、感知器取付け用ボス部を示す。
【００３４】
なお、請求項１の発明が実施可能な他のボックスとしては、前記各ボックスＢ1 ，Ｂ2 と同一の挟持取付構造を有していて、湯、水、ガス等の流体が通る流体管を接続した継手を収容する流体配管用ボックスに対しても適用可能である。
【実施例３】
【００３５】
図１４は、枠体挿入開口１ｂが形成された壁板１と、前記枠体挿入開口１ｂに挿入される配線用枠体Ｆとの斜視図であり、図１５は、壁板１に配線用枠体Ｆが取付けられた状態の一部を破断した斜視図である。配線用枠体Ｆは、上記した挟持取付構造によって壁板１に取付けられて、配線器具Ｃを取付けるためのものであって、前記ボックスＢ1 との差異は、壁内において配線器具Ｃが露出しているか否かの点である。即ち、前記ボックスＢ1 を使用した場合には、配線器具Ｃはボックス本体１０内に収容保護されるが、配線用枠体Ｆを使用した場合には、図１５に示されるように、配線器具Ｃは壁内において露出したままである。
【００３６】
挟持取付構造の配線用枠体Ｆは、枠体本体４１と、該枠体本体４１の上下対向辺の外側に一体に形成された一対の挟持鍔部４２と、前記枠体本体４１の上下対向辺の裏面側において奥側に突出して一体に形成されたガイド部４３と、該ガイド部４３によって回動不能にガイドされて、ビス４４の回転により前進・後退する挟持片４５とを備えている。各ガイド部４３は、それぞれ外面側が開口されていると共に、各ガイド部４３を構成する一方の側板部４３ａの奥側の端部には、挟持片４５を回動させて水平姿勢にするための挟持片出し入れ開口部４６が形成されている。
【００３７】
そして、図１４に示されるように、壁板１の枠体挿入開口１ｂに配線用枠体Ｆを挿入する前には、上下一対の挟持片４５を後退端まで移動させて、挟持片出し入れ開口部４６を通して各挟持片４５を横倒しに（略水平に）しておいて、そのまま挟持鍔部４２が壁板１の表面に当接するまで枠体挿入開口１ｂに挿入する。その後に、壁板１の表側から挟持片４５が前進する方向にビス４４を回転させると、ビス４４の連廻り力によって横倒し状態の挟持片４５は起立された後に、そのまま挟持片４５は、その基端部がガイド部４３により回動しないようにガイドされて壁板１の裏面に当接するまで前進する。挟持片４５が壁板１の裏面に当接することにより、図１５に示されるように、配線用枠体Ｆは、その上下端部の２箇所において、表側の挟持鍔部４２と裏側の挟持片４５とにより壁板１が挟持されることにより、壁板１に取付けられる。なお、壁板１に配線用枠体Ｆを取付ける際には、枠体本体４１には配線器具Ｃが予め取付けられている。
【００３８】
上記構成の配線用枠体Ｆにおいても、ビス４４における挟持片４５の後退端位置に対応する部分のねじ山を潰しておくと、ビス４４の回転による挟持片４５の連廻り力が大きくなる。よって、何らかの原因で壁板１から配線用枠体Ｆを取り外したり、或いは壁板１に配線用枠体Ｆを取付ける際において、後退端位置において枠体本体４１に対して挟持片４５を横倒ししたり、起立させたりする操作が容易となる。
【図面の簡単な説明】
【００３９】
【図１】本発明に係るボックスＢ1 の斜視図である。
【図２】本発明に係るボックスＢ1 の正面図である。
【図３】図１のＸ1−Ｘ1線拡大断面図である。
【図４】図１のＸ2−Ｘ2線拡大断面図である。
【図５】壁板１に取付けられたボックスＢ1 を取り外す途中の状態を示す斜視図である。
【図６】壁板１にボックスＢ1 が取付けられた状態における図２のＹ−Ｙ線断面図である。
【図７】壁板１に取付けられたボックスＢ1 を取り外す途中の状態における図２のＹ−Ｙ線断面図である。
【図８】図７の部分拡大図であって、ビス２３の連廻り力により挟持片２１が挟持片出し入れ開口部２４を通ってボックス本体１０内に収容された状態を示す図である。
【図９】ビス２３の押し潰し部２３ｂが形成された雄ねじ２３ａと、挟持片２１の雌ねじ２１ｃとが螺合した状態を示す斜視図である。
【図１０】ボックス本体１０の底壁部１１の他方のノックアウト孔Ｈに配線Ｌを挿通することにより、配線ミスを是正して、ボックスＢ1 を壁板１に再度取付けた状態の斜視図である。
【図１１】図１のＺ−Ｚ線断面図である。
【図１２】本発明に係るボックスＢ2 の正面図である。
【図１３】天井板３１に煙感知器等の種々の感知器を取付ける際に使用される円形のボックスＢ3 の取付状態の一部を破断した斜視図である。
【図１４】枠体挿入開口１ｂが形成された壁板１と、前記枠体挿入開口１ｂに挿入される配線用枠体Ｆとの斜視図である。
【図１５】壁板１に配線用枠体Ｆが取付けられた状態の一部を破断した斜視図である。
【符号の説明】
【００４０】
Ｂ1,Ｂ2 ：配線用ボックス
Ｂ3 ：感知器取付用ボックス
Ｃ：配線器具
Ｆ：配線用枠体
１：壁板
１ａ：ボックス挿入開口
１ｂ：枠体挿入開口
１０，３３：ボックス本体
１１，３３ｂ：ボックス本体の底壁部
１３：ボックス本体の左右対向側壁部
１５，３４，４２：挟持鍔部
２１，３６，４５：挟持片
２２，３７：ガイド壁部
２２ｂ：挟持片摺接面
２３，３５，４４：ビス
２３ａ：ビスの雄ねじ
２３ｂ：ビスの雄ねじの押し潰し部
２５，３８：ガイド孔
３１：天井板
４３：ガイド部
【図１】
2006060888.tif 000003
【図２】
2006060888.tif 000004
【図３】
2006060888.tif 000005
【図４】
2006060888.tif 000006
【図５】
2006060888.tif 000007
【図６】
2006060888.tif 000008
【図７】
2006060888.tif 000009
【図８】
2006060888.tif 000010
【図９】
2006060888.tif 000011
【図１０】
2006060888.tif 000012
【図１１】
2006060888.tif 000013
【図１２】
2006060888.tif 000014
【図１３】
2006060888.tif 000015
【図１４】
2006060888.tif 000016
【図１５】
2006060888.tif 000017